(57)【要約】【課題】優れた触覚性フィードバックを提供するタッチスクリーンディスプレイを提供すること。【解決手段】タッチスクリーンディスプレイであって、ベースと、ベースに接続され、ベースに対して動くことができるディスプレイデバイスと、ディスプレイデバイスを覆っているタッチ感知入力表面と、ベースと該ディスプレイデバイスとの間に配置された第１および第２のスイッチとを含む、タッチスクリーンディスプレイ。第１および第２のスイッチは、タッチ感知入力表面上に適用された力に応答して、作動される。【選択図】図２
2009123205.tif 000002
【特許請求の範囲】
【請求項１】
タッチスクリーンディスプレイであって、
ベースと、
該ベースに接続され、該ベースに対して動くことができるディスプレイデバイスと、
該ディスプレイデバイスを覆っているタッチ感知入力表面と、
該ベースと該ディスプレイデバイスとの間に配置された第１および第２のスイッチであって、該タッチ感知入力表面上の任意の位置に適用された力に応答して、該第２のスイッチを作動させる前に該第１のスイッチを作動させ、該ディスプレイデバイスの動きを引き起こすように構成されており、該タッチ感知入力表面上の第１の位置における第１の力の適用に応答して、該第１のスイッチを作動させ、第１のピボット運動を引き起こすように構成されており、該第１の力の適用の間に該タッチ感知入力表面上の第２の位置における第２の力の適用に応答して、該第２のスイッチを作動させ、第２のピボット運動を引き起こすように構成されている、第１および第２のスイッチと
を含む、タッチスクリーンディスプレイ。
【請求項２】
前記ディスプレイデバイスおよび前記タッチ感知入力表面に対する機械的支持を提供するディスプレイ支持部を含み、該ディスプレイデバイスおよび該タッチ感知入力表面は、該ディスプレイ支持部上に配置されている、請求項１に記載のタッチスクリーンディスプレイ。
【請求項３】
前記ディスプレイデバイスと前記ベースとの間に配置され、前記第１のスイッチと前記第２のスイッチとの間に延びているアクチュエータを含み、該アクチュエータは、前記タッチ感知入力表面上の前記第１の位置における前記第１の力の適用に応答して、該第１のスイッチを作動させ、該第１の力の適用の間に、該タッチ感知入力表面上の前記第２の位置における前記第２の力の適用に応答して、該第１および第２のスイッチの両方を作動させる、請求項２に記載のタッチスクリーンディスプレイ。
【請求項４】
前記アクチュエータは、前記第１のスイッチと前記第２のスイッチとの間に延びている梁を含む、請求項３に記載のタッチスクリーンディスプレイ。
【請求項５】
前記第１のスイッチは、前記第２のスイッチよりも、前記ディスプレイデバイスの中心の近くに配置されている、請求項３に記載のタッチスクリーンディスプレイ。
【請求項６】
前記ディスプレイ支持部は、該ディスプレイ支持部の中心の近くに少なくとも１つの突起を含んでおり、該少なくとも１つの突起は、前記ベースに向けて延びており、前記アクチュエータに接触し、前記第１および第２のスイッチを作動させる、請求項３に記載のタッチスクリーンディスプレイ。
【請求項７】
前記アクチュエータは、前記ディスプレイ支持部に向けて延びている突起を含み、該突起は、該ディスプレイ支持部の中心の近くで、該ディスプレイ支持部に接触し、前記第１および第２のスイッチを作動させる、請求項３に記載のタッチスクリーンディスプレイ。
【請求項８】
前記ベースと前記ディスプレイデバイスとの間にディスプレイストップを含み、該ディスプレイストップは、該ベースに向けた該ディスプレイデバイスの移動を制限する、請求項１に記載のタッチスクリーンディスプレイ。
【請求項９】
前記ディスプレイストップは、前記ディスプレイデバイスの外縁の近くで、前記ベースからのステップ突起を含む、請求項８に記載のタッチスクリーンディスプレイ。
【請求項１０】
前記第１および第２のスイッチは、前記ベースから延びているアーム上に搭載されている、請求項１に記載のタッチスクリーンディスプレイ。
【請求項１１】
前記アームは可撓性である、請求項１０に記載のタッチスクリーンディスプレイ。
【請求項１２】
前記アームは、前記第１のスイッチが前記第２のスイッチよりも前記ディスプレイデバイスの近くに配置されるように構成されている、請求項１０に記載のタッチスクリーンディスプレイ。
【請求項１３】
前記第１および第２のスイッチは、該第１および第２のスイッチのうちの１つが、該第１および第２のスイッチのうちの他方と前記ディスプレイデバイスとの間に配置されるように配置されている、請求項１に記載のタッチスクリーンディスプレイ。
【請求項１４】
前記第１のスイッチを作動させるために必要な最小の力は、前記第２のスイッチを作動させるために必要な最小の力よりも小さい、請求項１３に記載のタッチスクリーンディスプレイ。
【請求項１５】
前記第１のスイッチは、前記第２のスイッチよりも前記ディスプレイの近くに配置されている、請求項１に記載のタッチスクリーンディスプレイ。
【請求項１６】
前記第１のスイッチは、オーバートラベルを含み、作動後のさらなる圧縮を可能にする、請求項１５に記載のタッチスクリーンディスプレイ。
【請求項１７】
前記第１および第２のスイッチは、機械スイッチである、請求項１に記載のタッチスクリーンディスプレイ。
【請求項１８】
前記第１および第２のスイッチは、ドームタイプのスイッチである、請求項１７に記載のタッチスクリーンディスプレイ。
【請求項１９】
前記ディスプレイデバイスを前記第１および第２のスイッチから離れるように付勢させる少なくとも１つの付勢要素を含む、請求項１に記載のタッチスクリーンディスプレイ。
【請求項２０】
前記第１および第２のスイッチのうちのいずれかの作動に応答して、電気信号が生成され、該電気信号は、前記ディスプレイデバイスからの入力に加え、さらなる入力としてプロセッサにおいて受信される、請求項１に記載のタッチスクリーンディスプレイ。
【請求項２１】
側壁と前記ディスプレイデバイスを枠取りするフレームとを含み、該フレームは、該側壁によって前記ベースに接続されている、請求項１に記載のタッチスクリーンディスプレイ。
【請求項２２】
前記ベースと前記ディスプレイデバイスとの間に延びている可撓性の側壁を含む、請求項１に記載のタッチスクリーンディスプレイ。
【請求項２３】
前記可撓性の側壁は連続的であり、前記ディスプレイデバイスの周囲のまわりに延びている、請求項２２に記載のタッチスクリーンディスプレイ。
【請求項２４】
請求項１〜２３のいずれか一項に記載のタッチスクリーンディスプレイを含む電子デバイスであって、動作コンポーネントは、前記タッチ感知入力表面に接続されたコントローラと、該コントローラおよび該ディスプレイデバイスに接続されたプロセッサとを含む、電子デバイス。
【発明の詳細な説明】
【技術分野】
【０００１】
本出願は、概して、携帯型電子デバイスのための入出力デバイスに関する。
【背景技術】
【０００２】
携帯型電子デバイスは、幅広い使用を獲得しており、例えば電話メッセージ伝達、電子メッセージ伝達、およびその他の個人用情報管理（ＰＩＭ）アプリケーションの機能を含む、様々な機能を提供し得る。携帯型電子デバイスは、モバイル局（例えば、単純なセル式電話、スマートフォン、無線ＰＤＡ、および無線８０２．１１またはＢｌｕｅｔｏｏｔｈ能力を有するラップトップコンピュータ）を含む、いくつかのタイプのデバイスを含み得る。これらのデバイスは、データ専用ネットワーク（例えば、ＭｏｂｉｔｅｘおよびＤａｔａＴＡＣ）から複雑な音声およびデータのネットワーク（例えば、ＧＳＭ／ＧＰＲＳ、ＣＤＭＡ、ＥＤＧＥ、ＵＭＴＳ、およびＣＤＭＡ２０００のネットワーク）までの、様々なネットワーク上で実行する。
【０００３】
一般に、デバイス（例えば、ＰＤＡまたはスマートフォン）は、ハンドヘルドの使用が意図されており、携帯が容易であることが意図されている。一般に、小型のデバイスは、携帯のために望ましい。タッチスクリーンの入／出力デバイスは、そのようなハンドヘルドデバイス上で特に有用である。なぜならば、そのようなハンドヘルドデバイスは小型なので、入出力デバイスのために利用可能な空間が限られているからである。さらに、タッチスクリーンの入／出力デバイス上のスクリーン内容は、実行されている機能および動作に応じて、改変され得る。
【０００４】
タッチスクリーン入／出力デバイスは、タッチ感知オーバーレイ（ｔｏｕｃｈ−ｓｅｎｓｉｔｉｖｅ  ｏｖｅｒｌａｙ）を有するディスプレイ（例えば、液晶ディスプレイ）から構成されている。しかしながら、これらの入／出力デバイスは、ユーザの相互作用および応答に関連する固有の不利益を受ける。特に、そのようなタッチスクリーン入／出力デバイスは、入力を明確（ｐｏｓｉｔｉｖｅ）に示すためのユーザが所望する触覚特性を提供することができず、良くないユーザ経験を提供している。
【発明の開示】
【発明が解決しようとする課題】
【０００５】
したがって、入／出力デバイスにおける改良が望まれる。
【課題を解決するための手段】
【０００６】
（概要）
一局面にしたがうと、電子デバイスが提供され得、この電子デバイスは、ベースと、タッチスクリーンディスプレイと、一対のスイッチのと、動作コンポーネントとを含む。タッチスクリーンディスプレイは、ベースに接続され得、ベースに対して動くことができ得、ディスプレイデバイスと、ディスプレイデバイスを覆っているタッチ感知入力表面とを含み得る。スイッチは、ベースとタッチスクリーンディスプレイとの間に配置され得、スイッチのうちの１つが、タッチスクリーンディスプレイのタッチ感知入力表面上の任意の位置における力の適用に応答して作動され、タッチスクリーンディスプレイのタッチ感知入力表面上での２つ以上の力の適用に応答して、両方のスイッチが作動される。動作コンポーネントは、タッチ感知入力表面に接続されたコントローラと、コントローラおよびタッチスクリーンディスプレイに接続されたプロセッサとを含み得る。
【０００７】
別の局面にしたがうと、タッチスクリーンディスプレイは、ディスプレイデバイスおよびタッチ感知入力表面に対する機械的支持を提供するディスプレイ支持部を含み得、ディスプレイデバイスおよびタッチ感知入力表面は、ディスプレイ支持部上に配置される。
【０００８】
別の局面にしたがうと、アクチュエータは、タッチスクリーンディスプレイとベースとの間に配置され得、一対のスイッチの間に延びており、タッチスクリーンディスプレイのタッチ感知入力表面上の力の適用に応答して、１つのスイッチを作動させ、タッチスクリーンディスプレイのタッチ感知入力表面上の２つ以上の力の適用に応答して、両方のスイッチを作動させる。ディスプレイ支持部は、ベースに向けて延びている少なくとも１つの突起を含み得、アクチュエータに接触し、スイッチを作動させる。また、アクチュエータは、ディスプレイ支持部に向けて延びている突起を含み得、この突起は、タッチスクリーンディスプレイ支持部に接触し、スイッチを作動させる。アクチュエータは、一対のスイッチの間に延びている梁であり得る。
【０００９】
別の局面にしたがうと、ベースに向けたディスプレイの移動を制限するために、ベースとタッチスクリーンディスプレイとの間に、ストップが提供され得る。ストップは、タッチスクリーンディスプレイの外縁の近くで、ベースから突出している突起を含み得る。ストップは、ディスプレイの移動距離を制限することによって、単一の力がタッチスクリーンディスプレイに適用されたときに、クリックされる単一のスイッチが作動されることを可能にし、その一方でなお、第１の力が維持されている間に第２の力がタッチスクリーンディスプレイに適用されるときに、第２のスイッチが作動されることを可能にする。
【００１０】
別の局面にしたがうと、一対のスイッチは、ベースから延びているアーム上に配置され得る。アームは、可撓性であり得、一対のスイッチのうちの１つは、一対のスイッチのうちの他方よりも、タッチスクリーンディスプレイの近くに配置され得る。
【００１１】
さらに別の局面にしたがうと、スイッチは、一対のスイッチのうちの１つが、一対のスイッチのうちの他方とタッチスクリーンディスプレイとの間に配置され得るように、配置される。一対のスイッチのうちの１つを作動させるために必要とされ得る最小の力は、一対のスイッチのうちの他方を作動させるために必要な最小の力よりも小さい。
【００１２】
別の局面にしたがうと、スイッチのうちの１つは、スイッチのうちの他方よりも、タッチスクリーンディスプレイの近くに配置され得、スイッチのうちの１つは、作動後のさらなる圧縮を可能にするために、オーバートラベルを含む。
【００１３】
なおも別の局面にしたがうと、スイッチは、ドームタイプのスイッチであり得る。
【００１４】
一局面にしたがうと、タッチスクリーンディスプレイが提供され得、このタッチスクリーンディスプレイは、ベースと、ベースに接続されたディスプレイデバイス（ベースに対して動くことができる）とを含むタッチスクリーンディスプレイと、ディスプレイデバイスを覆っているタッチ感知入力表面と、ベースとディスプレイデバイスとの間に配置された一対のスイッチとを含み、その結果、スイッチのうちの１つは、タッチ入力感知表面上の任意の位置に力が適用されたことに応答して作動され、両方のスイッチは、タッチ感知入力表面上の２つ以上の位置に力が適用されたことに応答して作動される。
【００１５】
本発明は、さらに以下の手段を提供する。
【００１６】
（項目１）  
タッチスクリーンディスプレイであって、
ベースと、
該ベースに接続され、該ベースに対して動くことができるディスプレイデバイスと、
該ディスプレイデバイスを覆っているタッチ感知入力表面と、
該ベースと該ディスプレイデバイスとの間に配置された第１および第２のスイッチであって、該タッチ感知入力表面上の任意の位置に適用された力に応答して、該第２のスイッチを作動させる前に該第１のスイッチを作動させ、該ディスプレイデバイスの動きを引き起こすように構成されており、該タッチ感知入力表面上の第１の位置における第１の力の適用に応答して、該第１のスイッチを作動させ、第１のピボット運動を引き起こすように構成されており、該第１の力の適用の間に該タッチ感知入力表面上の第２の位置における第２の力の適用に応答して、該第２のスイッチを作動させ、第２のピボット運動を引き起こすように構成されている、第１および第２のスイッチと
を含む、タッチスクリーンディスプレイ。
【００１７】
（項目２）  
上記ディスプレイデバイスおよび上記タッチ感知入力表面に対する機械的支持を提供するディスプレイ支持部を含み、該ディスプレイデバイスおよび該タッチ感知入力表面は、該ディスプレイ支持部上に配置されている、項目１に記載のタッチスクリーンディスプレイ。
【００１８】
（項目３）  
上記ディスプレイデバイスと上記ベースとの間に配置され、上記第１のスイッチと上記第２のスイッチとの間に延びているアクチュエータを含み、該アクチュエータは、上記タッチ感知入力表面上の上記第１の位置における上記第１の力の適用に応答して、該第１のスイッチを作動させ、該第１の力の適用の間に、該タッチ感知入力表面上の上記第２の位置における上記第２の力の適用に応答して、該第１および第２のスイッチの両方を作動させる、項目２に記載のタッチスクリーンディスプレイ。
【００１９】
（項目４）  
上記アクチュエータは、上記第１のスイッチと上記第２のスイッチとの間に延びている梁を含む、項目３に記載のタッチスクリーンディスプレイ。
【００２０】
（項目５）  
上記第１のスイッチは、上記第２のスイッチよりも、上記ディスプレイデバイスの中心の近くに配置されている、項目３に記載のタッチスクリーンディスプレイ。
【００２１】
（項目６）  
上記ディスプレイ支持部は、該ディスプレイ支持部の中心の近くに少なくとも１つの突起を含んでおり、該少なくとも１つの突起は、上記ベースに向けて延びており、上記アクチュエータに接触し、上記第１および第２のスイッチを作動させる、項目３に記載のタッチスクリーンディスプレイ。
【００２２】
（項目７）  
上記アクチュエータは、上記ディスプレイ支持部に向けて延びている突起を含み、該突起は、該ディスプレイ支持部の中心の近くで、該ディスプレイ支持部に接触し、上記第１および第２のスイッチを作動させる、項目３に記載のタッチスクリーンディスプレイ。
【００２３】
（項目８）  
上記ベースと上記ディスプレイデバイスとの間にディスプレイストップを含み、該ディスプレイストップは、該ベースに向けた該ディスプレイデバイスの移動を制限する、項目１に記載のタッチスクリーンディスプレイ。
【００２４】
（項目９）  
上記ディスプレイストップは、上記ディスプレイデバイスの外縁の近くで、上記ベースからのステップ突起を含む、項目８に記載のタッチスクリーンディスプレイ。
【００２５】
（項目１０）  
上記第１および第２のスイッチは、上記ベースから延びているアーム上に搭載されている、項目１に記載のタッチスクリーンディスプレイ。
【００２６】
（項目１１）  
上記アームは可撓性である、項目１０に記載のタッチスクリーンディスプレイ。
【００２７】
（項目１２）  
上記アームは、上記第１のスイッチが上記第２のスイッチよりも上記ディスプレイデバイスの近くに配置されるように構成されている、項目１０に記載のタッチスクリーンディスプレイ。
【００２８】
（項目１３）  
上記第１および第２のスイッチは、該第１および第２のスイッチのうちの１つが、該第１および第２のスイッチのうちの他方と上記ディスプレイデバイスとの間に配置されるように配置されている、項目１に記載のタッチスクリーンディスプレイ。
【００２９】
（項目１４）  
上記第１のスイッチを作動させるために必要な最小の力は、上記第２のスイッチを作動させるために必要な最小の力よりも小さい、項目１３に記載のタッチスクリーンディスプレイ。
【００３０】
（項目１５）  
上記第１のスイッチは、上記第２のスイッチよりも上記ディスプレイの近くに配置されている、項目１に記載のタッチスクリーンディスプレイ。
【００３１】
（項目１６）  
上記第１のスイッチは、オーバートラベルを含み、作動後のさらなる圧縮を可能にする、項目１５に記載のタッチスクリーンディスプレイ。
【００３２】
（項目１７）  
上記第１および第２のスイッチは、機械スイッチである、項目１に記載のタッチスクリーンディスプレイ。
【００３３】
（項目１８）  
上記第１および第２のスイッチは、ドームタイプのスイッチである、項目１７に記載のタッチスクリーンディスプレイ。
【００３４】
（項目１９）  
上記ディスプレイデバイスを上記第１および第２のスイッチから離れるように付勢させる少なくとも１つの付勢要素を含む、項目１に記載のタッチスクリーンディスプレイ。
【００３５】
（項目２０）  
上記第１および第２のスイッチのうちのいずれかの作動に応答して、電気信号が生成され、該電気信号は、上記ディスプレイデバイスからの入力に加え、さらなる入力としてプロセッサにおいて受信される、項目１に記載のタッチスクリーンディスプレイ。
【００３６】
（項目２１）  
側壁と上記ディスプレイデバイスを枠取りするフレームとを含み、該フレームは、該側壁によって上記ベースに接続されている、項目１に記載のタッチスクリーンディスプレイ。
【００３７】
（項目２２）  
上記ベースと上記ディスプレイデバイスとの間に延びている可撓性の側壁を含む、項目１に記載のタッチスクリーンディスプレイ。
【００３８】
（項目２３）  
上記可撓性の側壁は連続的であり、上記ディスプレイデバイスの周囲のまわりに延びている、項目２２に記載のタッチスクリーンディスプレイ。
【００３９】
（項目２４）  
項目１〜２３のいずれか一項に記載のタッチスクリーンディスプレイを含む電子デバイスであって、動作コンポーネントは、上記タッチ感知入力表面に接続されたコントローラと、該コントローラおよび該ディスプレイデバイスに接続されたプロセッサとを含む、電子デバイス。
【００４０】
（摘要）
電子デバイスは、ベースと、タッチスクリーンディスプレイと、一対のスイッチと、動作コンポーネントとを含む。タッチスクリーンディスプレイは、ベースに接続されており、ベースに対して動くことができ、ディスプレイデバイスと、ディスプレイデバイスを覆っているタッチ感知入力表面とを含む。一対のスイッチは、ベースとタッチスクリーンディスプレイとの間に配置され、スイッチのうちの１つが、タッチスクリーンディスプレイのタッチ感知入力表面上の任意の位置における力の適用に応答して作動され、両方のスイッチが、タッチスクリーンディスプレイのタッチ感知入力表面上の２つ以上の力の適用に応答して作動されるように、構成されている。動作コンポーネントは、タッチ感知入力表面に接続されたコントローラと、コントローラおよびディスプレイに接続されたプロセッサとを含む。
【発明を実施するための最良の形態】
【００４１】
ここで、単なる例示として、添付の図面を参照しながら、本出願の実施形態が記載される。
【００４２】
（好適な実施形態の詳細）
説明の単純化および明瞭化のために、適切であると考えられる場合には、複数の図面の間で参照番号が繰り返され得、対応する要素または類似の要素を示し得るということに留意されたい。加えて、本明細書中に記載されている実施形態の完全な理解を提供するために、数多くの具体的な詳細が開示されている。しかしながら、当業者は、本明細書中に記載されている実施形態は、これらの具体的な詳細がなくても実施され得ることを、理解できるであろう。その他、周知の方法、手順、およびコンポーネントについては、本明細書中に記載されている実施形態を不明瞭にしないようにするために、詳細には記載されていない。また、記載は、本明細書中に記載されている実施形態の範囲を限定するものとして考えられるべきではない。例示的な図（特に、図２および図４〜１１に示されているもの）は、一定の比率ではなく、説明および理解を目的として提供されていることが理解されるべきである。
【００４３】
本明細書中に記載されている実施形態は、概して、ディスプレイを有する携帯型電子デバイスに関する。携帯型電子デバイスの例は、モバイルまたはハンドヘルドの無線通信デバイス（例えば、ページャ、セル式電話、セル式スマートフォン、無線オーガナイザ、パーソナルデジタルアシスタント、無線能力を有するノートブックコンピュータ、等）を含む。
【００４４】
携帯型の電子デバイスは、先進的なデータ通信能力（ネットワークまたは送受信局を介することによって、その他の携帯型電子デバイスまたはコンピュータシステムと通信する能力を含む）を有する双方向通信デバイスであり得る。携帯型電子デバイスはまた、音声通信を可能にする能力を有し得る。携帯型電子デバイスは、自らによって提供される機能に応じて、データメッセージ伝達デバイス、双方向ページャ、データメッセージ伝達能力を有するセル式電話、無線インターネット機器、またはデータ通信デバイス（電話能力を有するもの、または有していないもの）と称され得る。携帯型電子デバイスはまた、無線通信能力を有していない携帯型デバイス（例えば、ハンドヘルド電子ゲームデバイス、デジタルフォトアルバム、デジタルカメラ、等）であり得る。
【００４５】
図１〜図３を参照すると、電子デバイスが示されており、本実施形態においてこの携帯型電子デバイスは、携帯型電子デバイスであり、全体が２０で示されている。携帯型電子デバイス２０は、ベース２２と、タッチスクリーンディスプレイ２４と、一対のスイッチ２６、２８と、動作コンポーネントとを含んでいる（図３に最も良く示されている）。このタッチスクリーンディスプレイ２４は、ベース２２に接続されており、ベース２２に対して動くことができる。タッチスクリーンディスプレイ２４は、ディスプレイデバイス３０と、タッチ感知入力表面３２とを含んでおり、このタッチ感知入力表面は、ディスプレイデバイス３０を覆っている。スイッチ２６、２８は、ベース２２とタッチスクリーンディスプレイ２４との間に配置されており、スイッチのうちの１つ２６が、タッチスクリーンディスプレイ２４のタッチ感知入力表面３２上の任意の位置における力の適用に応答して作動され、両方のスイッチ２６、２８が、タッチスクリーンディスプレイ２４のタッチ感知入力表面３２上の２つ以上の力の適用に応答して作動されるように、構成されている。動作コンポーネントは、タッチ感知入力表面３２に接続されたコントローラ３４と、コントローラ３４およびタッチスクリーンディスプレイ２４に接続されたプロセッサ４０とを含む。
【００４６】
ここで図３を参照すると、携帯型電子デバイス２０の例示的な実施形態のブロック図が示されている。携帯型電子デバイス２０は、例えば携帯型電子デバイス２０の全体動作を制御するプロセッサ４０のような、多数のコンポーネントを含んでいる。データ通信および音声通信を含む通信機能は、通信サブシステム４２を介して実行される。携帯型電子デバイス２０によって受信されたデータは、デコーダ４４によって解凍および復号化され得、デコーダ４４は、任意の適切な解凍技術（例えば、ＹＫ解凍、およびその他の公知の技術）および暗号化技術（例えば、データ暗号化規格（ＤＥＳ）、トリプルＤＥＳ、または先進暗号化規格（ＡＥＳ）等の暗号化技術を用いる）にしたがって動作する。通信サブシステム４２は、無線ネットワーク１０００からメッセージを受信し、無線ネットワーク１０００へとメッセージを送信する。携帯型電子デバイス２０のこの例示的な実施形態において、通信サブシステム４２は、グローバルシステムフォーモバイルコミュニケーション（ＧＳＭ）および汎用パケット無線サービス（ＧＰＲＳ）の規格にしたがって構成される。ＧＳＭ／ＧＰＲＳ無線ネットワークは、世界規模で使用されており、これらの規格はそのうちに、エンハンストデータＧＳＭ環境（ＥＤＧＥ）およびユニバーサルモバイルテレコミュニケーションサービス（ＵＭＴＳ）によって、取って代わられることが期待されている。今日をもっても新しい規格が定義されているが、それらの新しい規格は、本明細書中に記載されているネットワークの挙動との類似性を有するであろうことが信じられており、そして、本明細書中に記載されている実施形態は、将来開発されるその他の任意の適切な規格を使用することが意図されているということが、当業者によって理解され得る。通信サブシステム４２と無線ネットワーク１０００とを接続する無線リンクは、ＧＳＭ／ＧＰＲＳ通信に対して指定された定義されたプロトコルにしたがって動作する、１つ以上の様々な無線周波数（ＲＦ）チャネルを表す。これらのチャネルは、より新しいネットワークプロトコルを用いることによって、回線交換の音声通信とパケット交換のデータ通信との両方をサポートすることが可能である。
【００４７】
１つの例示的な実装において、携帯型電子デバイス２０に関連付けられる無線ネットワーク１０００は、ＧＳＭ／ＧＰＲＳ無線ネットワークであるが、異なる実装においては、その他の無線ネットワークもまた、携帯型電子デバイス２０に関連付けられ得る。使用され得る様々なタイプの無線ネットワークは、例えば、データ集約型の無線ネットワーク、音声集約型の無線ネットワーク、および同じ物理的な基地局を介して音声通信とデータ通信との両方をサポートし得るデュアルモードネットワークを含む。組み合わせ型デュアルモードネットワークは、符号分割多重アクセス（ＣＤＭＡ）またはＣＤＭＡ２０００ネットワーク、ＧＳＭ／ＧＰＲＳネットワーク（上述の通り）、ならびにＥＤＧＥおよびＵＭＴＳのような将来の第３世代（３Ｇ）ネットワークを含む。データ集約型のネットワークのその他の例の一部は、ＷｉＦｉ  ８０２．１１、Ｍｏｂｉｔｅｘ（ＴＭ）、およびＤａｔａＴＡＣ（ＴＭ）のネットワーク通信システムを含む。音声集約型のデータネットワークのその他の例は、ＧＳＭシステムおよび時分割多重アクセス（ＴＤＭＡ）システムのような個人通信システム（ＰＣＳ）ネットワークを含む。プロセッサ４０はまた、追加的なサブシステムと相互作用し、追加的なサブシステムは、ランダムアクセスメモリ（ＲＡＭ）４６、フラッシュメモリ４８、入力表面３２を有するディスプレイ３０、補助入／出力（Ｉ／Ｏ）サブシステム５０、データポート５２、スピーカ５４、マイクロフォン５６、短距離通信５８、およびその他のデバイスサブシステム６０、等である。
【００４８】
携帯型電子デバイス２０のサブシステムの一部は、通信関係の機能を実行するが、その一方で、その他のサブシステムは、「常駐」またはデバイス上の機能を提供し得る。例えば、ディスプレイ３０および入力表面は、通信関係の機能（例えば、ネットワーク１０００を介する送信のためのテキストメッセージを入力すること）およびデバイス常駐機能（例えば、電卓またはタスクリスト）の両方のために使用され得る。
【００４９】
携帯型電子デバイス２０は、ネットワーク登録または活性化手順が完了した後に、無線ネットワーク１０００を介して通信信号を送受信し得る。ネットワークアクセスは、携帯型電子デバイス２０の加入者またはユーザと関連付けられる。本実施形態にしたがう加入者を識別するために、携帯型電子デバイス２０は、ＳＩＭ／ＲＵＩＭインターフェース６４に挿入されるべきＳＩＭ／ＲＵＩＭカード６２（すなわち、加入者識別モジュールまたは着脱式のユーザ識別モジュール）を使用することによって、ネットワークと通信する。ＳＩＭ／ＲＵＩＭカード６２は、特に携帯型電子デバイス２０の加入者を識別するために、および携帯型電子デバイス２０を個人化するために使用され得る、従来の「スマートカード」の一種である。本実施形態において、携帯型電子デバイス２０は、ＳＩＭカード６２がないと、無線ネットワーク１０００との通信のために、完全な動作をすることができない。ＳＩＭ／ＲＵＩＭカード６２をＳＩＭ／ＲＵＩＭインターフェース６４に挿入することによって、加入者は、全ての加入したサービスにアクセスすることができる。サービスは、例えばｅメール、音声メール、ショートメッセージサービス（ＳＭＳ）、およびマルチメディアメッセージ伝達サービス（ＭＭＳ）のような、ウェブブラウジングおよびメッセージ伝達を含み得る。より先進的なサービスは、販売時点情報管理（ｐｏｉｎｔ  ｏｆ  ｓａｌｅ）、フィールドサービス（ｆｉｅｌｄ  ｓｅｒｖｉｃｅ）、およびセールスフォースオートメーション（ｓａｌｅｓ  ｆｏｒｃｅ  ａｕｔｏｍａｔｉｏｎ）を含み得る。ＳＩＭ／ＲＵＩＭカード６２は、プロセッサと情報を格納するためのメモリとを含む。ＳＩＭ／ＲＵＩＭカード６２がＳＩＭ／ＲＵＩＭインターフェース６４に挿入されると、ＳＩＭ／ＲＵＩＭカード６２は、プロセッサ４０に結合される。加入者を識別するために、ＳＩＭ／ＲＵＩＭカード６２は、例えば国際モバイル加入者識別（ＩＭＳＩ）のような、なんらかのユーザパラメータを含み得る。ＳＩＭ／ＲＵＩＭカード６２を使用することの利点は、加入者がどのような単一の物理的な携帯型電子デバイスによっても、拘束される必要がなくなるということである。ＳＩＭ／ＲＵＩＭカード６２は、デートブック（またはカレンダー）情報および最近の通話情報を含む、携帯型電子デバイスのための追加的な加入者情報を、同様に格納し得る。あるいは、ユーザ識別情報はまた、フラッシュメモリ４８にプログラムされ得る。
【００５０】
携帯型電子デバイス２０は、バッテリーによって電力供給されるデバイスであり、１つ以上の再充電可能なバッテリー６８を受け入れるためのバッテリーインターフェース６６を含む。少なくとも一部の実施形態において、バッテリー６８は、組み込み型マイクロプロセッサを有するスマートバッテリーであり得る。バッテリーインターフェース６６は、レギュレータ（図示されず）に結合され、レギュレータは、電力Ｖ＋を携帯型電子デバイス２０に提供する際に、バッテリー６８をアシストする。現行の技術は、バッテリーを使用するが、将来の技術（例えば、マイクロ燃料電池）が、携帯型電子デバイス２０に電力を提供し得る。
【００５１】
携帯型電子デバイス２０はまた、オペレーティングシステム７０およびソフトウェアコンポーネント７２〜８２をも含んでおり、これらは、以下でより詳細に記載される。プロセッサ４０によって実行されるオペレーティングシステム７０およびソフトウェアコンポーネント７２〜８２は、典型的には、永続性記憶装置（例えば、フラッシュメモリ４８）に格納される。永続性記憶装置は、その代わりに、リードオンリメモリ（ＲＯＭ）または同様の格納要素（図示されず）でもあり得る。当業者は、オペレーティングシステム７０およびソフトウェアコンポーネント７２〜８２の一部（例えば、特殊デバイスアプリケーションまたはそのパーツ）は、揮発性記憶装置（例えば、ＲＡＭ４６）に瞬間的にロードされ得ることを理解し得る。当業者には周知であるように、その他のソフトウェアコンポーネントもまた含まれ得る。
【００５２】
基本的なデバイス動作を制御するソフトウェアアプリケーション７２のサブセット（データ通信アプリケーションおよび音声通信アプリケーションを含む）は、通常、製造中に携帯型電子デバイス２０にインストールされ得る。その他のソフトウェアアプリケーションは、メッセージアプリケーション７４を含み、メッセージアプリケーション７４は、携帯型電子デバイス２０のユーザが電子メッセージを送受信することを可能にする任意の適切なソフトウェアプログラムであり得る。当業者には周知であるように、メッセージアプリケーション７４の様々な代替物が存在する。ユーザによって送信または受信されるメッセージは、典型的には、携帯型電子デバイス２０のフラッシュメモリ４８または携帯型電子デバイス２０におけるその他のなんらかの適切な格納要素に格納される。少なくとも一部の実施形態においては、送受信されたメッセージの一部は、デバイス２０から遠隔的に（例えば、携帯型電子デバイス２０と通信する関連付けられたホストシステムのデータ記憶装置に）格納され得る。
【００５３】
ソフトウェアアプリケーションはさらに、デバイス状態モジュール７６、個人情報管理（ＰＩＭ）７８、およびその他の適切なモジュール（図示されず）を含み得る。デバイス状態モジュール７６は、永続性を提供する。すなわち、デバイス状態モジュール７６は、重要なデバイスデータが永続性メモリ（例えば、フラッシュメモリ４８）に格納されることによって、携帯型電子デバイス２０がオフにされたり、または電力を断たれたりしたときに、データが失われないようにすることを保証する。
【００５４】
ＰＩＭ７８は、ユーザが関心のあるデータアイテムを編集および管理するための機能を含む。例えば、そのような機能は、ｅメール、連絡先、カレンダーイベント、音声メール、アポイントメント、およびタスクアイテムを含むが、それらには限定されない。ＰＩＭアプリケーションは、無線ネットワーク１０００を介してデータアイテムを送受信する能力を有する。ＰＩＭデータアイテムは、無線ネットワーク１０００を介することにより、携帯型電子デバイスの加入者の対応するデータアイテム（ホストコンピュータシステムに格納されていたり、かつ／または関連付けられていたりする）を用いてシームレスに統合、同期化、および更新され得る。この機能は、そのようなアイテムに関して、携帯型電子デバイス２０上にミラーリングされたホストコンピュータを形成する。これは、ホストコンピュータシステムが携帯型電子デバイスの加入者のオフィスコンピュータシステムであるときに、特に有利であり得る。
【００５５】
携帯型電子デバイス２０はまた、接続モジュール８０、および情報技術（ＩＴ）ポリシーモジュール８２をも含んでいる。接続モジュール８０は、携帯型電子デバイス２０が無線設備および例えばエンタープライズシステムのような任意のホストシステム（携帯型電子デバイス２０は、これらとインターフェースを取る権限が付与されている）と通信するために必要な通信プロトコルを実装している。
【００５６】
接続モジュール８０は、携帯型電子デバイス２０と統合され得る一連のＡＰＩを含んでおり、これらのＡＰＩは、携帯型電子デバイス２０が、エンタープライズシステムと関連付けられた任意の個数のサービスを使用することを可能にする。接続モジュール８０は、携帯型電子デバイス２０が、ホストシステムとの終端間セキュアで認証された通信パイプを確立することを可能にする。接続モジュール８０によってアクセスが提供されるアプリケーションのサブセットは、ホストシステムから携帯型電子デバイス２０へと、ＩＴポリシーコマンドを受け渡すために使用され得る。これは、無線または有線で実行され得る。その後これらの命令は、デバイス２０の構成を改変するために、ＩＴポリシーモジュール８２へと受け渡され得る。あるいは、一部の場合においては、ＩＴポリシーの更新もまた、有線接続を介して実行され得る。
【００５７】
その他のタイプのソフトウェアアプリケーションもまた、携帯型電子デバイス２０上にインストールされ得る。これらのソフトウェアアプリケーションは、携帯型電子デバイス２０の製造後に追加されるサードパーティアプリケーションであり得る。サードパーティアプリケーションの例は、ゲーム、電卓、ユーティリティ、等を含む。
【００５８】
追加的なアプリケーションは、無線ネットワーク１０００、補助Ｉ／Ｏサブシステム５０、データポート５２、短距離通信サブシステム５８、または任意のその他の適切なデバイスサブシステム６０のうちの少なくとも１つを介して、携帯型電子デバイス２０上にロードされ得る。アプリケーションのインストールにおけるこの柔軟性は、携帯型電子デバイス２０の機能を増大させ、増強されたデバイス上の機能、通信関連機能、またはそれらの両方を提供し得る。例えば、セキュア通信アプリケーションは、電子商取引機能およびその他の同様の金融取引機能が、携帯型電子デバイス２０を用いて実行されることを可能にし得る。
【００５９】
データポート５２は、加入者が外部デバイスまたはソフトウェアアプリケーションを介してプリファランス（ｐｒｅｆｅｒｅｎｃｅ）を設定し、無線通信ネットワーク以外を介して携帯型電子デバイス２０に情報またはソフトウェアダウンロードを提供することによって、携帯型電子デバイス２０の能力を拡張することを可能にする。代替的なダウンロード経路は、例えば、直接的であってひいては信頼性が高く確実な接続を介することによって、携帯型電子デバイス２０へと暗号化キーをロードし、セキュアなデバイス接続を提供するために使用され得る。
【００６０】
データポート５２は、携帯型電子デバイス２０と別のコンピューティングデバイスとの間のデータ通信を可能にする任意の適切なポートであり得る。データポート５２は、シリアルまたはパラレルのポートであり得る。一部の実例において、データポート５２は、データ転送のためのデータラインと、携帯型電子デバイス２０のバッテリー６８へと充電電流を提供し得る供給ラインとを含む、ＵＳＢポートであり得る。
【００６１】
短距離通信サブシステム５８は、無線ネットワーク１０００を用いることなしに、携帯型電子デバイス２０と様々なシステムまたはデバイスとの間の通信を提供する。例えば、サブシステム５８は、赤外線デバイスおよび短距離通信のための関連する回路およびコンポーネントを含み得る。短距離通信規格の例は、赤外線データ協会（ＩｒＤＡ）によって開発された規格、Ｂｌｕｅｔｏｏｔｈ、およびＩＥＥＥによって開発された規格の８０２．１１ファミリーを含む。
【００６２】
使用中、例えばテキストメッセージ、ｅメールメッセージ、またはウェブページダウンロードのような、受信された信号は、通信サブシステム４２によって処理され、プロセッサ４０に入力される。その後、プロセッサ４０は、ディスプレイ３０または補助Ｉ／Ｏサブシステム５０へと出力するために、受信された信号を処理する。加入者はまた、例えば、タッチ感知入力表面３２ならびにディスプレイ３０、そしておそらくは補助Ｉ／Ｏサブシステム５０を用いることによって、データアイテム（例えば、ｅメール）を編集し得る。補助Ｉ／Ｏサブシステム５０は、例えば、マウス、トラックボール、赤外線指紋検出器、または動的なボタン押下能力を有するローラホイールのような、デバイスを含み得る。キーボード（例えば、英数字キーボードおよび／または電話タイプキーボード）もまた提供され得る。編集されたアイテムは、通信サブシステム４２を介して、無線ネットワーク１０００上で送信され得る。
【００６３】
音声通信に関して、携帯型電子デバイス２０の全体動作は、受信された信号がスピーカ５４へと出力され、マイクロフォン５６によって送信のための信号が生成されるということを除き、実質的に同様である。代替的な音声またはオーディオＩ／Ｏサブシステム（例えば、音声メッセージ録音サブシステム）もまた、携帯型電子デバイス２０上に実装され得る。音声またはオーディオ信号の出力は、主にスピーカ５４を介して遂行され得るが、ディスプレイ２８もまた、追加的な情報（例えば、発呼側の識別、音声コールの持続時間、またはその他の音声コール関連情報）を提供するために使用され得る。
【００６４】
再び図１および図２を参照すると、ベース２２は、ハウジング８４（ベース２２から間隔を空けられたフレーム８６をも含んでいる）の一部分であり、フレーム８６は、タッチスクリーンディスプレイ２４を枠取りしている。側壁８８は、ベース２２とフレーム８６との間に延びている。ハウジング８４は、ディスプレイストップ８９を含んでおり、このディスプレイストップ８９は、ベース２２へ向けたタッチスクリーンディスプレイ２４の移動の量を制限するために、ベース２２からタッチスクリーンディスプレイ２４に向けて、そして側壁８８から内側へと延びている。このように、ディスプレイストップ８９は、ベース２２から突出しているステップによって形成されている。しかしながら、ディスプレイストップ８９は、タッチスクリーンディスプレイ２４の移動を制限するための任意の適切なステップであり得ることに留意されたい。本実施形態にしたがうと、側壁８８は、ベース２２およびフレーム８６に対してほぼ垂直に延びている。ベース２２は、例えば上述のようなバッテリー６８およびＳＩＭ／ＲＵＩＭカード６２の挿入および取り外しのために解放可能なように取り付けられた、プレート（図示されず）を含んでいる。ベース２２、側壁８８、フレーム８６、およびディスプレイストップ８９は、例えば射出成形されたものであり得るということを理解されたい。フレーム８６は、ウィンドウを枠取りするようにサイズおよび形状が決められ得る。このウィンドウにおいて、タッチスクリーンディスプレイ２４は、タッチスクリーンディスプレイ２４の入力表面３２とのユーザ接触による入力のために、およびディスプレイデバイス３０上への出力の表示のために、露出されている。タッチスクリーンディスプレイ２４は、図２に示されているように、フレーム８６に向けて付勢され、フレーム８６は、タッチスクリーンディスプレイ２４をハウジング８４内に維持する。このようにして、タッチスクリーンディスプレイ２４は、ハウジング８４内で動くことができ、ハウジング８４によって制約されている。タッチスクリーンディスプレイ２４のエッジは、エッジを囲んでいるエッジ支持部によって支持され得、その結果、タッチスクリーンディスプレイ２４は、エッジ支持部がハウジング８４のフレーム８６と接触することが、企図されている。図１に示されている実施形態にしたがうと、フレーム８６は、略長方形であるが、その他の形状もまた可能である。例えば、フレーム８６のコーナーは、丸みが付いているものであってもよい。
【００６５】
タッチスクリーンディスプレイ２４は、固いディスプレイ支持部９０によって支持されており、ディスプレイ支持部９０は、タッチスクリーンディスプレイ２４に対する構造的な支持を提供し、タッチスクリーンディスプレイ２４の損傷または破壊を引き起こす屈曲を抑制している。ディスプレイ支持部９０は、任意の適切な材料から形成され得、さらなる機能コンポーネント（例えば、印刷回路基板）を含み得る。タッチスクリーンディスプレイ２４は、ＬＣＤディスプレイデバイス３０を覆っているタッチ感知入力表面３２およびその他のコンポーネント（例えば、バックライト（図示されず）のようなオプションのコンポーネントを含む）を含む、コンポーネントのアセンブリであるということに、留意されたい。タッチスクリーンディスプレイ２４は、タッチスクリーンディスプレイ２４のエッジがフレーム８６の底面と接触するように、付勢要素９２によって、ハウジング８４のベース２２から離れてフレーム８６に向かうように付勢される。本実施形態にしたがうと、４つの付勢要素９２がベース２２とタッチスクリーンディスプレイ２４との間に配置されており、各付勢要素９２は、タッチスクリーンディスプレイ２４のそれぞれのコーナーの近くに配置されている。４つの付勢要素９２の各々は、ディスプレイ支持部９０に接触する。付勢要素９２は、任意の適切な材料（例えば、フォーム材料）から作られ、タッチスクリーンディスプレイ２４に適切な力が適用されると、ハウジング８４内でタッチスクリーンディスプレイ２４が動くことを可能にする。付勢要素９２は、フォーム材料に限定されない。なぜならば、任意の適切な付勢要素（例えば、板バネ（単数または複数）、コイルバネ（単数または複数）、ゴム、ゲル、または任意の適切な付勢要素）が、利用され得るからである。付勢要素９２のその他の個数が用いられ得ることに留意されたい。実際付勢要素は、例えば、タッチスクリーンディスプレイ２４の周囲の近くで、そのまわりに延びた連続的な要素であり得る。付勢要素（単数または複数）は、バネ式の力を提供することによって、ベース２２から離れ、フレーム８６に向かうように、タッチスクリーンディスプレイ２４を付勢する。さらに、タッチスクリーンディスプレイ２４は、付勢要素９２を利用するのではなく、スイッチ２６、２８によって付勢され得る。
【００６６】
一対のスイッチ２６、２８もまた、ハウジング８４のタッチスクリーンディスプレイ２４とベース２２との間に配置されている。本実施形態において、スイッチ２６、２８は、ドームタイプのスイッチであるが、スイッチ２６、２８は、任意の適切な機械スイッチであり得る。スイッチ２６、２８は、１つのスイッチ２６が他方のスイッチ２８よりもタッチスクリーンディスプレイ２４の中心における突起１００に近くなるように配置され、横方向に離間されている。示されているように、スイッチ２６は、タッチスクリーンディスプレイ２４の中心の近くに配置されており、その他のスイッチ２８は、中心からより大きな距離だけ間隔を空けられている。スイッチ２６、２８は、スイッチ２６、２８とタッチスクリーンディスプレイ２４との間に配置されたアクチュエータ９４によって押下げられる（または作動される）。アクチュエータ９４は、梁９５と間隔を空けられた一対の突起９６、９８とを含んでおり、各突起は、梁９５のそれぞれの端部において、ベース２２に向けて延びており、間隔を空けられたスイッチ２６、２８のそれぞれと接触する。アクチュエータ９４がスイッチ２６、２８の間に延びており、スイッチ２６、２８はタッチスクリーンディスプレイ２４の中心から等距離ではないこと、そしてその結果、アクチュエータ９４がタッチスクリーンディスプレイ２４に対して真ん中にないということに、留意されたい。突起１００は、タッチスクリーンディスプレイ２４のほぼ中心の点から、ディスプレイ支持部９０からベース２２に向けて延びており、アクチュエータ９４と接触する。突起１００はタッチスクリーンディスプレイ２４の中心から延び、タッチスクリーンディスプレイ２４に対して真ん中にはないアクチュエータ９４と接触するので、突起１００は、梁９５の長さの中心から離れた点において、アクチュエータ９４と接触する。したがって、ユーザがタッチスクリーンディスプレイ２４を押した結果としてのタッチスクリーンディスプレイ２４の移動は、スイッチ２６、２８のうちの少なくとも１つを作動させる（押下げる）アクチュエータ９４の移動を引き起こす。ユーザがタッチスクリーンディスプレイ２４上の第１の位置において押下げを行うことによって、タッチスクリーンディスプレイ２４の移動と、スイッチのうちタッチスクリーンディスプレイ２４の中心に最も近いスイッチ２６の作動とが引き起こされる。タッチスクリーンディスプレイ２４のうちユーザが押下げている側で、タッチスクリーンディスプレイ２４のエッジがディスプレイストップ８９と接するので、タッチスクリーンディスプレイ２４の移動は、ディスプレイストップ８９によって制限される。ユーザが、依然としてタッチスクリーンディスプレイ２４上の第１の位置において押下げている間に、タッチスクリーンディスプレイ２４上の第２の位置において押下げを行うと、タッチスクリーンディスプレイ２４のさらなる移動と、その他のスイッチ２８の作動とが引き起こされる。ここでもまた、タッチスクリーンディスプレイ２４の移動は、ディスプレイストップ８９によって制限される。本実施形態において、突起１００は、ディスプレイ支持部９０から延びている丸みが付いた突起である。しかしながら、突起１００は、任意の適切な形状であり得るということ、ならびにディスプレイ支持部９０上に形成されるのではなく、アクチュエータ９４の一部分として形成され、突起９６、９８とは反対側で梁９５から延び、ディスプレイ支持部９０と接触するものでもあり得るということに留意されたい。
【００６７】
このように、ユーザがタッチスクリーンディスプレイ２４のタッチ感知表面３２上の第１の任意の位置に力を適用することによって、スイッチのうちの１つ２６の押下げが引き起こされ、その結果、携帯型電子デバイス２０のユーザインターフェースとのユーザ相互作用の間に、明確なフィードバックをユーザに提供する。さらに、タッチスクリーンディスプレイの第１の位置に力を適用し続けている間に、タッチスクリーンディスプレイ２４の第２の位置にユーザが力を適用することによって、その他のスイッチ２８の押下げが引き起こされ、その結果、明確なフィードバックをユーザに提供する。図５に示されているように、このようにして両方のスイッチ２６、２８が押下げられる。
【００６８】
図３に関連して上述されたプロセッサ４０を含むコンポーネントおよびその他のコンポーネントは、ハウジング８４内に収容され、携帯型電子デバイス２２の機能を提供する。
【００６９】
上述のように、タッチスクリーンディスプレイ２４は、ユーザ入力のためのグラフィカルユーザインターフェースを提供するために、ディスプレイデバイス３０と、ディスプレイデバイス３０を覆っているタッチ感知入力表面３２とを含んでいる。タッチスクリーンディスプレイ２４は、ユーザがタッチスクリーンディスプレイ２４にタッチしたときに、またはユーザがタッチスクリーンディスプレイ２４に沿って指をスライドさせたときに、信号を生成し、その結果、プロセッサ４０においてコマンドの起動が引き起こされる。タッチスクリーンディスプレイ２４は、ユーザ相互作用のためのグラフィカルユーザインターフェースを提供する。このように、ディスプレイデバイス３０は、タッチスクリーンディスプレイ２４のタッチ感知入力表面３２とのユーザ相互作用によって選択可能または操作可能なグラフィカル表現を提供する。
【００７０】
スイッチ２６、２８は、さらなる入力を提供し得る。なぜならば、十分な力をユーザが適用することによるいずれか１つのスイッチ２６の作動、または十分な力をユーザが適用することによる両方のスイッチ２６、２８の作動は、プロセッサ４０に入力されるさらなる信号（単数または複数）を生成し得るからである。機械スイッチ２６、２８の作動からのさらなる信号は、単独で、あるいは機械スイッチ２６、２８からの信号（単数または複数）とタッチ感知入力表面３２からの信号との組み合わせの結果として、プロセッサ４０においてコマンドの起動を引き起こし得る。このように、プロセッサ４０において起動されるコマンドは、タッチ感知入力表面３２からの信号の結果であるか、あるいはタッチ感知入力表面からの信号とユーザ相互作用によって引き起こされた機械スイッチ２６、２８の一方または両方からの信号との組み合わせの結果であり得る。ユーザ相互作用は、例えば、ユーザがタッチスクリーンディスプレイ２４をタッチすること、またはユーザがタッチスクリーンディスプレイ２４に沿って指をスライドさせることであり得る。また、タッチスクリーンディスプレイ２４に沿った異なる指のスライディング動作は、プロセッサ４０において異なるコマンドの起動を引き起こし得る。
【００７１】
携帯型電子デバイス２０のユーザが、スイッチ２６を作動させることなしに、ひいてはスイッチ２８を作動させることなしに、タッチスクリーンディスプレイ２４とのユーザ相互作用によって、デバイスのプロセッサ４０においてコマンドを起動させ得るということに留意されたい。例えばユーザは、タッチスクリーンディスプレイをタッチするか、またはタッチスクリーンディスプレイに沿って指をスライドさせることによって、スイッチ２６の押下げを引き起こす十分な力を適用することなしに、信号の生成およびコマンドの起動を引き起こし得る。
【００７２】
ここで、携帯型電子デバイス２０のハウジング８４内でのタッチスクリーンディスプレイ２４の動きを記載している図４〜６を参照する。まず図４を参照すると、１つの例示的な実施形態にしたがう携帯型電子デバイス２０の簡略化された断面図が示されており、この断面図においては、例えば、ユーザがタッチスクリーンディスプレイ２４のタッチ感知入力表面３２上を矢印「Ａ」の方向に指で押すことによって、力が適用されている。示されているように、ユーザがタッチスクリーンディスプレイ２４上を押した結果、タッチスクリーンディスプレイ２４のピボット運動（ｐｉｖｏｔｉｎｇ）が起こり、その結果、携帯型電子デバイス２０のうちタッチスクリーンディスプレイ２４に力が適用されたのと同じ側における付勢要素９２Ａが、携帯型電子デバイス２０の中心に関して反対側における付勢要素９２Ｂよりも多く圧縮される。図面からは、タッチスクリーンディスプレイ２４上に力が適用されたときに、タッチスクリーンディスプレイ２４が、フレーム８６の裏面に逆らって、携帯型電子デバイス２０の反対側におけるエッジに沿って、ピボット運動することが分かる。図４の実施例において、携帯型電子デバイスの右側における付勢要素９２Ａは、携帯型電子デバイス２０の左側に示されている付勢要素９２Ｂよりも多く圧縮される。なぜならば、力はタッチスクリーンディスプレイ２４の右側に適用されているからである。ベース２２に向けたタッチスクリーンディスプレイ２４の移動は、ディスプレイストップ８９によって制限される。
【００７３】
図４に示されているように、タッチスクリーンディスプレイ２４に対する十分な力の適用によって引き起こされるタッチスクリーンディスプレイ２４の移動によって、ディスプレイ支持部９０からの突起１００が移動させられ、アクチュエータ９４の移動を引き起こし、その結果、アクチュエータ９４の移動と、突起９６によるスイッチ２６の押下げとが起こる。このようにして、スイッチ２６が作動される。
【００７４】
ここで図５を参照すると、例えば、図４を参照して記載されたように、第１の指が依然としてタッチスクリーンディスプレイ２４のタッチ感知入力表面３２上を矢印「Ａ」の方向に押している間に、ユーザが第２の指をタッチスクリーンディスプレイ２４のタッチ感知入力表面３２上を矢印「Ｂ」の方向に押すことによって、第２の力が適用される。示されているように、ユーザがタッチスクリーンディスプレイ２４上を押した結果、タッチスクリーンディスプレイ２４のピボット運動が起こり、その結果、携帯型電子デバイス２０のうち反対側における付勢要素９２Ｂが、さらに圧縮される。図面からは、第２の力の適用によって、タッチスクリーンディスプレイ２４がエッジに沿って、携帯型電子デバイス２０のうち第１の力が適用された側におけるストップ８９に逆らってピボット運動することが分かる。図５の実施例において、携帯型電子デバイス２０の左側における付勢要素９２Ｂは、さらに圧縮される。なぜならば、タッチスクリーンディスプレイ２４は、携帯型電子デバイス２０の右側におけるディスプレイストップ８９に逆らってピボット運動するからである。ここでもまた、ベース２２に向けたタッチスクリーンディスプレイ２４の移動は、ディスプレイストップ８９によって制限される。
【００７５】
図５に示されているように、タッチスクリーンディスプレイ２４に対する十分な力の適用によって引き起こされるタッチスクリーンディスプレイ２４の移動によって、ディスプレイ支持部９０からの突起１００が移動させられ、アクチュエータ９４の移動を引き起こし、その結果、突起９８によるスイッチ２８の押下げが起こる。このようにして、スイッチ２８もまた作動される。示されているように、両方のスイッチ２６、２８が圧縮される。スイッチ２８を押す第２の力「Ｂ」の適用は、必ずしもタッチスクリーンディスプレイ２４の中心の反対側におけるものであるとは限らないことに留意されたい。なぜならば、タッチスクリーンディスプレイ２４のうち第１の力「Ａ」と同じ側における第２の力もまた、タッチスクリーンディスプレイ２４のさらなる移動を引き起こし、その結果、スイッチ２８の押下げを引き起こすからである。図４および図６に示されているように、タッチスクリーンディスプレイ２４の１つの側が最大距離ｄだけ移動されたときに、タッチスクリーンディスプレイ２４の中心（そして突起１００）は距離ｄ／２だけ移動され、その結果、スイッチ２６の押下げを引き起こすということに留意されたい。２つの力が適用され、タッチスクリーンディスプレイ２４の両側を最大距離ｄだけ移動させるとき、タッチスクリーンディスプレイ２４の中心および突起１００は、距離ｄだけ移動され、その結果、両方のスイッチ２６、２８の押下げが引き起こされる。
【００７６】
図６を参照すると、一実施例にしたがう、携帯型電子デバイス２０の簡略化された断面図が示されており、この断面図においては、例えば、ユーザがタッチスクリーンディスプレイ２４のタッチ感知入力表面３２上を矢印「Ｂ」の方向に指で押すことによって、力が適用されている。示されているように、ユーザがタッチスクリーンディスプレイ２４上を押した結果、タッチスクリーンディスプレイ２４のピボット運動が起こり、その結果、携帯型電子デバイス２０のうちタッチスクリーンディスプレイ２４に力が適用される側における付勢要素９２Ｂが、携帯型電子デバイス２０の反対側における付勢要素９２Ａよりも多く圧縮される。図面からは、タッチスクリーンディスプレイ２４の１つの側に力が適用されたときに、タッチスクリーンディスプレイ２４が、エッジに沿って、携帯型電子デバイス２０の反対側におけるフレーム８６の裏面に向かってピボット運動することが分かる。図６の実施例において、携帯型電子デバイスの左側における付勢要素９２Ｂは、携帯型電子デバイス２０の右側に示されている付勢要素９２Ａよりも多く圧縮される。なぜならば、力はタッチスクリーンディスプレイ２４の左側に適用されているからである。ベース２２に向けたタッチスクリーンディスプレイ２４の移動は、ディスプレイストップ８９によって制限される。
【００７７】
図６に示されているように、タッチスクリーンディスプレイ２４に対する十分な力の適用によって引き起こされるタッチスクリーンディスプレイ２４の移動によって、ディスプレイ支持部９０からの突起１００が移動させられ、アクチュエータ９４の移動を引き起こし、その結果、突起９６によるスイッチ２６の押下げが起こる。このようにして、スイッチ２６が作動される。
【００７８】
例えば、ユーザが第２の指でタッチスクリーンディスプレイ２４を押すことによって第２の力を適用した結果、タッチスクリーンディスプレイ２４のピボット運動が引き起こされ、その結果、携帯型電子デバイス２０の他方の側における付勢要素９２Ａが圧縮される。なぜならば、タッチスクリーンディスプレイ２４は、エッジに沿って、携帯型電子デバイス２０のうちの第１の力が適用された側におけるディスプレイストップ８９に逆らってピボット運動するからである。例えば、図５に示されているように、タッチスクリーンディスプレイ２４に対する十分な力の適用によって引き起こされたタッチスクリーンディスプレイ２４の移動によって、突起１００の移動がアクチュエータ９４の移動を引き起こし、その結果、突起９８がスイッチ２８を押す。このようにして、スイッチ２８が作動される。ここでもまた、両方のスイッチ２６、２８が押下げられる。
【００７９】
例えば、ユーザがタッチスクリーンディスプレイ２４から２つの指のうちの１つを引き上げることによって、適用された力のうちの１つを解放すると、その結果、タッチスクリーンディスプレイ２４のうち残りの力が適用されている側がどちらであるかに応じて、図４または図６に示されている位置への、タッチスクリーンディスプレイ２４のピボット運動が引き起こされる。また、タッチスクリーンディスプレイ２４の中心から最も遠いスイッチ２８は、元の位置に戻る。このようにして、タッチスクリーンディスプレイ２４上の２つの力のうちの１つの力の解放によって、スイッチ２８は元の位置に戻る。例えば、ユーザがタッチスクリーンディスプレイ２４から両方の指を引き上げることによって、適用された力の両方を解放すると、その結果、タッチスクリーンディスプレイ２４は図２に示されている位置に戻る。この位置において、タッチスクリーンディスプレイ２４は、ベース２２から離れるように付勢され、フレーム８６と接触する。図２に示されているように、両方のスイッチ２６、２８もまた、元の位置に戻る。
【００８０】
したがって、例えば仮想キーボード（ｖｉｒｔｕａｌ  ｋｅｙｂｏａｒｄ）が、携帯型電子デバイス２０のタッチスクリーンディスプレイ２４上に表示されたとき、ユーザは、例えば携帯型電子デバイスの機械的キーボードを指でタイピングするのと同様の方法で、指を使ってタッチスクリーンディスプレイ２４を押すことによって、文字を選択し得る。スイッチ２６、２８は、タッチスクリーンディスプレイ２４上に表示される仮想キーボード上をタイピングするときに、ユーザに対して所望の触覚性のフィードバックを提供する。複数の文字を選択するとき、文字を選択するための例えば指を使ったタッチスクリーンディスプレイ２４の押下げは、タッチスクリーンディスプレイ２４上の先の文字の選択から他方の指を引き上げる前に、行われ得る。したがって、タッチスクリーンディスプレイ２４に両方の指を接触させ、押下げる間に、時間の重複がある。一対のスイッチ２６、２８は、タッチスクリーンディスプレイを押下げ、文字を選択するときに（タッチスクリーンディスプレイが先の文字の選択から、依然として押下げられているときでさえも）、触覚性のフィードバックをユーザに提供する。さらに、触覚性のフィードバックは、タッチスクリーンディスプレイ２４から一方または両方の指を引き上げるときに提供され得る。
【００８１】
ここで、本出願の別の実施形態を記載している図７を参照する。本実施形態にしたがうと、２つの間隔を空けられた、略長方形の突起１０２が、ディスプレイ支持部９０からベース２２の方向に延びている。一対のスイッチ１０６、１０８は、タッチスクリーンディスプレイ２４のコーナーの近くに配置されている。突起１０２は、タッチスクリーンディスプレイの中心から延びており、スイッチの１つ１０８と接触している。他方のスイッチ１０６は、タッチスクリーンディスプレイ２４の移動の結果、スイッチ１０６の作動の前にスイッチ１０８が作動され、スイッチ１０６の作動がタッチスクリーンディスプレイ２４の中心のより大きな移動を必要とするように、突起１０２から間隔を空けられている。スイッチ１０８は、作動の後に、タッチスクリーンディスプレイ２４がさらに移動され、スイッチ１０６の作動を引き起こし得るように、オーバートラベル（ｏｖｅｒ−ｔｒａｖｅｌ）を可能にする。スイッチ１０６、１０８は、任意のタイプの機械スイッチであり得る。このように、本実施形態においては、アクチュエータが存在しない。代わりに、ディスプレイ支持部９０から延びている突起１０２が、スイッチ１０６、１０８と接触し、これらのスイッチを作動させる。したがって、例えばユーザがタッチスクリーンディスプレイ２４上を押すことによって力が適用されるとき、タッチスクリーンディスプレイ２４が移動され、突起１０２がスイッチ１０８を押す。さらに、第１の力が依然として適用されている間に、第２の力がタッチスクリーンディスプレイ２４に適用されたとき、タッチスクリーンディスプレイ２４は、ディスプレイストップ８９に逆らってピボット運動し、突起１０２が他方のスイッチ１０６を押す。このようにして、両方のスイッチ１０６、１０８が圧縮される。
【００８２】
ここで図８を参照すると、本出願のさらに別の実施形態が示されている。図７に関連して記載されている実施形態におけるように、ベース２２とタッチスクリーンディスプレイ２４との間には、アクチュエータが存在しない。本実施形態にしたがうと、２つの間隔を空けられた、略長方形の突起１１０、１１２が、ディスプレイ支持部９０からベース２２の方向に延びている。２つの長方形の突起ではなく、単一の突起が、ディスプレイ支持部９０から延びていてもよいことに留意されたい。２つの間隔を空けられたスイッチ１１４、１１６は、可撓性のアーム１１８に沿って配置されており、この可撓性のアーム１１８は、ベース２２に固定されており、タッチスクリーンディスプレイ２４に向けて上方に角度を付けられて延びている。２つの間隔を空けられたスイッチ１１４、１１６は、それぞれ突起１１０、１１２による作動のために、可撓性のアーム１１８に沿った位置に配置されている。例えばユーザがタッチスクリーンディスプレイ２４上を押すことによって力が適用されたとき、タッチスクリーンディスプレイ２４が移動され、突起１１２がスイッチ１１６を押す。第１の力が依然として適用されている間に、第２の力がタッチスクリーンディスプレイ２４に適用されるとき、タッチスクリーンディスプレイ２４は、自らがディスプレイストップ８９に逆らってピボット運動するようにさらに移動され、アーム１１８は、他方の突起１１０が他方のスイッチ１１４に接触して他方のスイッチ１１４を押下げるように撓む。このように、両方のスイッチ１１４、１１６は、押下げられる。例えばユーザがタッチスクリーンディスプレイ２４から指を引き上げることによって適用された力が解放されるとき、タッチスクリーンディスプレイ２４は元の位置に戻り、可撓性のアーム１１８とスイッチ１１４、１１６（これらは、本実施形態においては、ドームタイプのスイッチである）とは、図８に示されている位置に戻る。
【００８３】
ここで図９を参照すると、本出願のさらに別の実施形態が示されている。図８および９に関連して記載された実施形態におけるように、ベース２２とタッチスクリーンディスプレイ２４との間にはアクチュエータが存在しない。代わりに、本実施形態においては、２つのスイッチ１２０、１２２が存在し、第１のスイッチ１２０が第２のスイッチ１２２上に積み重ねられている。第２のスイッチ１２２は、ベース２２上に配置されており、押下げ、ひいては作動させるために、第１のスイッチ１２０よりも大きな力が適用されることを必要とする。単一の突起１２４は、ディスプレイ支持部９０からベース２２の方向に延びており、第１のスイッチ１２０と接触している。例えばユーザがタッチスクリーンディスプレイ２４を押すことによって力が適用されるとき、タッチスクリーンディスプレイ２４が移動され、突起１２４の移動が、第１のスイッチ１２０の押下げを引き起こす。第２のスイッチ１２２は押下げのためにより大きな力が適用されることを必要とするので、第２のスイッチ１２２ではなく、第１のスイッチ１２０が押下げられる。第１の力が依然として適用されている間に、第２の力がタッチスクリーンディスプレイ２４に適用されるとき、タッチスクリーンディスプレイ２４は、自身がディスプレイストップ８９に逆らってピボット運動し、突起１２４のさらなる移動が第２のスイッチ１２２の押下げを引き起こすように、さらに移動される。このように、両方のスイッチ１２２、１２４が、押下げられる。例えばユーザがタッチスクリーンディスプレイ２４から指を引き上げることによって適用された力が解放されるとき、タッチスクリーンディスプレイ２４は元の位置に戻り、この位置において、タッチスクリーンディスプレイ２４はベース２２から離れてフレーム８６に逆らうように付勢される。スイッチ１２０、１２２（これらは、本実施形態においては、ドームタイプのスイッチである）もまた、図９に示されている位置に戻る。
【００８４】
上述の実施形態は、例示目的で提供された。記載された特徴の多くは変動し得るが、同じ機能を実行し得る。ここで図１０および１１を参照すると、携帯型電子デバイス２０の別の実施形態が示されており、この実施形態において、ベース２２は、可撓性の側壁１２６（ベース２２とタッチスクリーンディスプレイ２４との間に延び、これらの間に接続されている）によって、タッチスクリーンディスプレイ２４に接続されている。
【００８５】
ここでもまた、ベース２２はプレート（図示されず）を含んでおり、上述のように、このプレートは、例えばバッテリー６８およびＳＩＭカード６２の挿入および取り出しのために解放可能なように取り付けられる。可撓性の側壁１２６は、任意の適切な可撓性の材料（例えば、任意の適切なエラストマ）から作られ得る。ここでもまた、タッチスクリーンディスプレイ２４は、ＬＣＤディスプレイデバイス３０を覆っているタッチ感知入力表面３２およびその他のコンポーネント（例えば、エッジ支持部によって支持されたり、固いディスプレイ支持部９０によって支持されたりする、バックライトのような光学コンポーネントを含む）を含む、コンポーネントのアセンブリを含むことに、留意されたい。ここでもまた、タッチスクリーンディスプレイ２４は、固いディスプレイ支持部９０によって支持され、タッチスクリーンディスプレイ２４の構造的な支持を提供し、タッチスクリーンディスプレイ２４の損傷または破壊を引き起こす屈曲を抑制している。可撓性の側壁１２６は、例えば、ディスプレイ支持部９０との機械的インターロックおよびベース２２との機械的インターロックによって、タッチスクリーンディスプレイ２４とベース２２との間に接続されている。そのような機械的インターロックは、例えば、タッチスクリーンディスプレイ２４の組み立ての間に、ディスプレイ支持部９０を用いて可撓性の側壁１２６を機械的に捕らえることによって、形成され得るか、外側被覆（ｏｖｅｒｍｏｌｄ）され得る。上述の実施形態におけるように、タッチスクリーンディスプレイ２４は、ベース２２に対して動くことができる。示された例示的な実施形態において、機械的なディスプレイ支持部９０は、図２において示された実施形態に関連して上述された突起と同様の突起１００を含む。さらに、この突起は、タッチスクリーンディスプレイ２４に力（例えば、図１１に示されている矢印「Ｃ」の方向の例示的な力）が適用されたときに、それぞれのスイッチ２６、２８を押下げるために、突起９６、９８を有するアクチュエータ９４と接触する。
【００８６】
本実施形態において、可撓性の側壁１２６は連続的であり、ベース２２とタッチスクリーンディスプレイ２４との間に収容されたコンポーネントに対する防塵シールドを提供するために、タッチスクリーンディスプレイ２４の周囲の近くで、そのまわりに延びている。側壁１２６は、スクリーンに力が加えられたときに撓み、アクチュエータ９４による機械スイッチ２６、２８の押下げを可能にし、さらには、タッチスクリーンディスプレイ２４を、スイッチ２６、２８が作動されない位置に付勢するように動作する。ディスプレイストップ１２８は、ベース２２上に配置され、ベース２２の方向へのタッチスクリーンディスプレイ２４の移動量を制限する。ディスプレイストップ１２８は、多くの異なる形状を取り得るが、それでもなお、同じ機能を提供するということに留意されたい。
【００８７】
機械スイッチ２６、２８、アクチュエータ９４、突起９６、９８および突起１００の機能は、図２〜６２関連して既に上述されたものと同様である。
【００８８】
機械スイッチ２６、２８およびタッチスクリーンディスプレイ２４（これは、ベース２２に対して動くことができる）は、ユーザに所望の触覚性のフィードバックを提供する。上述のように、タッチスクリーンディスプレイ２４上の複数の一連の仮想ボタンを選択するときに、例えば１つのボタンを選択するための、指を使ったタッチスクリーンディスプレイ２４の押下げは、タッチスクリーンディスプレイ２４上の先のボタンの選択から他方の指を引き上げる前に行われ得る。したがって、タッチスクリーンディスプレイ２４に両方の指を接触させ、押下げる間に、時間の重複がある。一対のスイッチ２６、２８は、タッチスクリーンディスプレイを押下げ、ボタンを選択するときに（タッチスクリーンディスプレイ２４が先のボタンの選択から、依然として押し下げられているときでさえも）、触覚性のフィードバックをユーザに提供する。さらに、触覚性のフィードバックは、タッチスクリーンディスプレイ２４から一方または両方の指を引き上げるときに提供され得る。
【００８９】
本明細書中に記載された実施形態は、携帯型電子デバイスの特定の実装に関するが、これらの実施形態に対する改変は本出願の範囲および領域内にあるということが、理解されるべきである。例えば、携帯型電子デバイスの特徴の多くのサイズおよび形状は異なり得るが、それでもなお、同じ機能を提供し得る。さらに、図８に記載されているような可撓性のアームではなく、可撓性のアクチュエータが利用され得るか、可撓性の突起（単数または複数）が利用され得る。多くのその他の改変およびバリエーションは、当業者に想到され得る。そのような改変およびバリエーションの全ては、本出願の範囲および領域内にあると考えられる。
【図面の簡単な説明】
【００９０】
【図１】図１は、一実施形態にしたがう携帯型電子デバイスの平面図であり、特定の隠された特徴は、図示を目的として、想像線で示されている。
【図２】図２は、図１の携帯型電子デバイスの簡略化した断面図である（一定の比率ではない）。
【図３】図３は、図１の携帯型電子デバイスの特定の内部コンポーネントを含む、特定のコンポーネントのブロック図である。
【図４】図４は、図１の携帯型電子デバイスの簡略化した断面図であり（一定の比率ではない）、タッチスクリーンディスプレイ上の一点に適用された力を示している。
【図５】図５は、図１の携帯型電子デバイスの簡略化した断面図であり（一定の比率ではない）、タッチスクリーンディスプレイ上の位置に適用された力を示している。
【図６】図６は、図１の携帯型電子デバイスの簡略化した断面図であり（一定の比率ではない）、タッチスクリーンディスプレイ上の別の位置に適用された力を示している。
【図７】図７は、別の実施形態にしたがう、携帯型電子デバイスの簡略化した断面図である（一定の比率ではない）。
【図８】図８は、別の実施形態にしたがう、携帯型電子デバイスの簡略化した断面図である（一定の比率ではない）。
【図９】図９は、さらに別の実施形態にしたがう、携帯型電子デバイスの簡略化した断面図である（一定の比率ではない）。
【図１０】図１０は、なおも別の実施形態にしたがう、携帯型電子デバイスの簡略化した断面図である（一定の比率ではない）。
【図１１】図１１は、図１０の携帯型電子デバイスの簡略化した断面図であり（一定の比率ではない）、タッチスクリーンディスプレイ上の位置に適用された力を示している。
【符号の説明】
【００９１】
２０  携帯型電子デバイス
２２  ベース
２４  タッチスクリーンディスプレイ
２６、２８  スイッチ
３０  ディスプレイデバイス
３２  タッチ感知入力表面
８４  ハウジング
８６  フレーム
８８  側壁
８９  ディスプレイストップ
９０  ディスプレイ支持部
９２  付勢要素
９４  アクチュエータ
９５  梁
９６、９８  突起
【図１】
2009123205.tif 000003
【図２】
2009123205.tif 000004
【図３】
2009123205.tif 000005
【図４】
2009123205.tif 000006
【図５】
2009123205.tif 000007
【図６】
2009123205.tif 000008
【図７】
2009123205.tif 000009
【図８】
2009123205.tif 000010
【図９】
2009123205.tif 000011
【図１０】
2009123205.tif 000012
【図１１】
2009123205.tif 000013